(57)【要約】【課題】通紙モードによって記録媒体の搬送経路を変えることによって、防汚効果の耐久性を向上させる画像読み取り装置を提供する。【解決手段】分離部Ｂで分離された記録媒体を読み取り部へ搬送する搬送手段１４と、搬送された記録媒体を読み取る読み取り手段と、読み取り部３７上に配置されたガイド手段１９、２０と、前記搬送手段１２、１４を駆動する駆動手段４１を備えた画像読み取り装置において、前記読み取り部３７に最も近接した読み取り部上流側と下流側の搬送手段１６、２１が別々の駆動源４３、４６によって駆動される。【選択図】図３
2007186281.tif 000002
【特許請求の範囲】
【請求項１】
記録媒体を読み取る読み取り部と、記録媒体を該読み取り部上へ搬送する上流側搬送手段、及び下流側搬送手段と、該読み取り部上の記録媒体搬送路の上方に配置されたガイド手段と、前記搬送手段を駆動する駆動手段と、制御部と、を備えた画像読み取り装置において、前記上流側と下流側の各搬送手段を別々の駆動源によって駆動することを特徴とする画像読み取り装置。
【請求項２】
前記制御部は、読み取りモードによって上記各搬送手段の相対速度が可変となるように制御することを特徴とする請求項１記載の画像読み取り装置。
【請求項３】
前記制御部は、上記各搬送手段の相対速度を変化させる場合にはどちらか一方の搬送手段の速度を変化させることを特徴とする請求項２に記載の画像読み取り装置。
【請求項４】
前記制御部は、前記相対速度が下流側の搬送手段の方が速くなるように制御することを特徴とする請求項２、又は３に記載の画像読み取り装置。
【請求項５】
前記制御部は、前記相対速度が下流側の搬送手段の方が遅くなるように制御することを特徴とする請求項２、又は３に記載の画像読み取り装置。
【請求項６】
前記読み取り部と下流側の前記搬送手段との間に記録媒体からの圧力によって可動な構成を有するガイド部材を設けたことを特徴とする請求項１乃至５の何れか一項に記載の画像読み取り装置。
【請求項７】
前記可動な構成を有するガイド部材の一端は、上流側に配置されるガイド部材あるいは駆動部材により支持されていることを特徴とする請求項６記載の画像読み取り装置。
【請求項８】
前記可動な構成を有するガイド部材は、支持された部分を支点に回動することを特徴とする請求項６、又は７に記載の画像読み取り装置。
【請求項９】
前記可動な構成を有するガイド部材と、それが取り付いている部材が同材質であることを特徴とする請求項６、７、又は８に記載の画像読み取り装置。
【請求項１０】
前記読み取り部と下流側の前記搬送手段との間に回転するガイド部材を設けていることを特徴とする請求項１乃至５の何れか一項に記載の画像読み取り装置。
【請求項１１】
前記回転するガイド部材は近接配置された他のガイド部材によって支持されていることを特徴とする請求項１０記載の画像読み取り装置。
【請求項１２】
前記回転するガイド部材は、前記他のガイド部材に対して可動な構成であることを特徴とする請求項１０、又は１１に記載の画像読み取り装置。
【請求項１３】
前記回転するガイド部材は、前記他のガイド部材に支点を持ち回動可能な構成であることを特徴とする請求項１０、１１、又は１２に記載の画像読み取り装置。
【請求項１４】
前記他のガイド部材に設けられる支点は、該他のガイド部材のガイド部の最下流部よりも上流側に設けられていることを特徴とする請求項１３に記載の画像読み取り装置。
【請求項１５】
前記他のガイド部材に保持されて、前記回転するガイド部材を弾性付勢する弾性部材を有することを特徴とする請求項１０乃至１４の何れか一項に記載の画像読み取り装置。
【請求項１６】
前記回転するガイド部材と、前記他のガイド部材とは同材質であることを特徴とする請求項１０乃至１５の何れか一項に記載の画像読み取り装置。
【請求項１７】
請求項１乃至１６の何れか一項に記載の画像読み取り装置を備えたことを特徴とする画像形成装置。
【発明の詳細な説明】
【技術分野】
【０００１】
本発明は、複写機、レーザービームプリンタ、ファクシミリ等に搭載する画像読み取り装置に関するものである。
【背景技術】
【０００２】
固定した読み取り部により、搬送される記録媒体を読み取りするシートスルーＤＦ（ドキュメント・フィーダー）においては、読み取り部に異物が滞留、付着した場合には異常画像（スジ画像）となって現れる。
このようなシートスルーＤＦにおいては、読み取り位置上に防汚処理を施しかかる不都合を回避するようにしている（例えば、特許文献１及び２参照）。
特許文献１では、読み取り位置上のガイド部材が回動可能な構成を開示しており、特許文献２には、読み取り位置前後の搬送ローラの線速を同じとした構成が開示されている。
【特許文献１】特開２００１−２３８０４７公報
【特許文献２】特開昭６１−２７８３８号公報
【発明の開示】
【発明が解決しようとする課題】
【０００３】
前述の通り、読み取り部を固定し記録媒体を搬送しながら読み取りを行うシートスルーＤＦにおいては、読み取り部に異物が滞留、付着した場合には異常画像（スジ画像）となって現れる。
そのため読み取り位置上に防汚処理を施しているが、記録媒体が読み取り位置に接触するため記録媒体の通過回数に比例し防汚効果は低下するという問題があった。
そこで、本発明の目的は、通紙モードによって記録媒体の搬送経路を変えることによって、防汚効果の耐久性を向上させる画像読み取り装置を提供することにある。
【課題を解決するための手段】
【０００４】
上記の課題を解決するために、請求項１の発明に係る画像読み取り装置は、記録媒体を読み取る読み取り部と、記録媒体を該読み取り部上へ搬送する上流側搬送手段、及び下流側搬送手段と、該読み取り部上の記録媒体搬送路の上方に配置されたガイド手段と、前記搬送手段を駆動する駆動手段と、制御部と、を備えた画像読み取り装置において、前記上流側と下流側の各搬送手段を別々の駆動源によって駆動することを特徴とする。
請求項２の発明は、前記制御部は、読み取りモードによって上記各搬送手段の相対速度（速度比）を可変とすることを特徴とする。
【０００５】
請求項３の発明では、前記制御部は、上記各搬送手段の相対速度（速度比）を変化させる場合にはどちらか一方の速度を変化させることを特徴とする。
請求項４の発明では、前記制御部は、前記相対速度（速度比）が下流側の搬送手段の方が速くなるように制御することを特徴とする。
請求項５の発明では、前記制御部は、前記相対速度（速度比）が下流側の搬送手段の方が遅くなるように制御することを特徴とする。
請求項６の発明では、前記読み取り部と下流側の前記搬送手段との間に記録媒体からの圧力によって可動な構成を有するガイド部材を設けていることを特徴とする。
【０００６】
請求項７の発明では、前記可動な構成を有するガイド部材の一端は、上流側に配置されるガイド部材あるいは駆動部材に支持されていることを特徴とする。
請求項８の発明では、前記可動な構成を有するガイド部材は、支持された部分を支点に回動することを特徴とする。
請求項９の発明は、前記可動な構成を有するガイド部材と、それが取り付いている部材が同材質であることを特徴とする。
請求項１０の発明は、前記読み取り部と下流側の前記搬送手段との間に回転するガイド部材を設けていることを特徴とする。
【０００７】
請求項１１の発明は、前記回転するガイド部材は近接配置された他のガイド部材によって支持されていることを特徴とする。
請求項１２の発明は、前記回転するガイド部材は、前記他のガイド部材に対して可動な構成であることを特徴とする。
請求項１３の発明は、前記回転するガイド部材は、前記他のガイド部材に支点を持ち回動可能な構成であることを特徴とする。
【０００８】
請求項１４の発明は、前記他のガイド部材に設けられる支点は、該他のガイド部材のガイド部の最下流部よりも上流側に設けられていることを特徴とする。
請求項１５の発明は、前記他のガイド部材に保持されて、前記回転するガイド部材を弾性付勢する弾性部材を有することを特徴とする。
請求項１６の発明は、前記回転するガイド部材と、前記他のガイド部材とは同材質であることを特徴とする。
請求項１７の発明に係る画像形成装置は、請求項１乃至１６の何れか一項に記載の画像読み取り装置を備えたことを特徴とする。
【発明の効果】
【０００９】
本発明によれば、読み取り部に最も近接した読み取り部上流側と下流側の搬送手段の駆動源を独立に設けることによって線速設定をモード等によって変えることが可能となり、記録媒体の搬送時の姿勢を制御することができる。
【発明を実施するための最良の形態】
【００１０】
以下、図面を参照して、本発明の実施の形態を詳細に説明する。図１は本発明の画像読み取り装置の実施の形態の基本的な構成を説明する概略図である。図２は図１の画像読み取り装置の制御回路を示すブロック図である。
本実施の形態は、被読み取り記録媒体を固定の読み取り装置部に搬送し、所定の速度で搬送しながら画像読み取りを行う画像読み取り装置に用いられる、被読み取り記録媒体処理装置（以下、ＡＤＦ）及び読み取りユニットに関するものである。その基本的な構成、動作、作用を図１及び図２に基づいて説明する。
画像形成装置３６上に載置された画像読み取り装置は、被読み取り両面記録媒体束をセットする記録媒体セット部Ａ、記録媒体セット部Ａ上にセットされた両面記録媒体束から１枚毎に記録媒体を分離して給送する分離給送部Ｂ、給送された記録媒体の表面を１次突き当て整合する働きと、整合後の記録媒体を引き出し搬送する働きのレジスト部Ｃ、搬送される記録媒体をターンさせて、記録媒体面を読み取り側（下方）に向けて搬送するターン部Ｄを含んでいる。
【００１１】
画像読み取り装置は、また、記録媒体の画像を、コンタクトガラスの下方より読み取りを行わせる読み取り搬送部Ｅ、読み取り後の記録媒体の表裏を反転するためのスイッチバック部Ｆ、このスイッチバック部Ｆにてスイッチバックした記録媒体を再びレジスト部Ｃに戻すための中間搬送部Ｇ、再びターン部Ｄから読み取り搬送部Ｅにより記録媒体の裏面を読み取り後一時記録媒体を待機させるスイッチバック部Ｈを含んでいる。
画像読み取り装置は、さらに、スイッチバック部Ｈより記録媒体を反転し機外に排出する反転排紙部Ｉ、読み取り完了後の記録媒体を積載保持するスタック部Ｊ、これら搬送動作の駆動を行う駆動部４１〜４６、さらに、一連の動作を制御するコントローラ部４７を含んでいる。
【００１２】
読み取りを行う記録媒体束１は、可動記録媒体テーブル３を含む記録媒体テーブル２上に、記録媒体面を上向きの状態にしてセットされる。さらに、記録媒体束１の巾方向を図示しないサイドガイドによって搬送方向と直交する方向の位置決めを行う。記録媒体のセットはセットフィラー４、セットセンサ５により検知されＩ／Ｆ４８により本体制御部４９に送信される。
さらに、記録媒体テーブル２面に設けられた記録媒体長さ検知センサ３０又は３１（反射型センサ又は、記録媒体１枚にても検知可能なアクチェータ・タイプのセンサが用いられる）により記録媒体の搬送方向長さの概略が判定される（少なくとも同一記録媒体サイズの縦か横かを判断可能なセンサ配置が必要）。
【００１３】
可動記録媒体テーブル３は、底板上昇モータ４５により図１に示すａ、ｂ方向に上下動可能な構成になっている。コントローラは、記録媒体がセットされたことをセットフィラー４及びセットセンサ５が検知すると、底板上昇モータ４５を正転させて記録媒体束１の最上面がピックアップローラ７と接触するように可動記録媒体テーブル３を上昇させる。
ピックアップローラ７は、ピックアップモータ４１により駆動されるカム機構により図に示すｃ、ｄ方向に動作するとともに、可動記録媒体テーブル３が上昇しかつ可動記録媒体テーブル３上の記録媒体上面により押されてｃ方向に上がりそしてテーブル上昇検知センサ８により上限を検知可能となっている。図中、符号６は底板ホームポジションセンサを示している。
【００１４】
本体操作部５１よりプリントキーが押下され、本体制御部４９からＩ／Ｆ４８を介してＡＤＦ制御部（コントローラ）４７に記録媒体給紙信号が送信されると、ピックアップローラ７は給紙モータ４２の正転によりコロが回転駆動し、記録媒体テーブル２上の数枚（理想的には１枚）の記録媒体をピックアップする。回転方向は、最上位の記録媒体を給紙口に搬送する方向である。
給紙ベルト９は給紙モータ４２の正転により給紙方向に駆動され、リバースローラ１０は給紙モータ４２の正転により給紙と逆方向に回転駆動される。それにより最上位の記録媒体とその下の記録媒体を分離して、最上位の記録媒体のみを給紙できる構成となっている。
【００１５】
さらに詳しく説明すると、リバースローラ１０は給紙ベルト９と所定圧で接し、給紙ベルト９と直接接している時、又は記録媒体１枚を介して接している状態では、給紙ベルト９の回転につられて反時計方向につれ回りし、記録媒体が万が一２枚以上給紙ベルト９とリバースローラ１０の間に侵入した時は連れ回り力がトルクリミッターのトルクよりも低くなるように設定されている。
リバースローラ１０は本来の駆動方向である時計方向に回転し、余分な記録媒体を押し戻す働きをし、重送が防止される。給紙ベルト９とリバースローラ１０との作用により１枚に分離された記録媒体は給紙ベルト９によってさらに送られ、突き当てセンサ１１によって先端が検知され、さらに進んで停止しているプルアウトローラ１２に突き当たる。
【００１６】
その後、前出の突き当てセンサ１１の検知から所定量定められた距離送られ、結果的には、プルアウトローラ１２に所定量撓みを持って押し当てられた状態で給紙モータ４２を停止させることにより給紙ベルト９の駆動は停止する。
この時、ピックアップモータ４１を回転させることによってピックアップローラ７を記録媒体上面から退避させ、かつ記録媒体を給紙ベルトの搬送力のみで送ることにより、記録媒体先端は、プルアウトローラ１２の上下ローラ対のニップに進入し、先端の整合（スキュー補正）が行われる。
【００１７】
プルアウトローラ１２は、前記スキュー補正機能を有するとともに、分離後にスキュー補正された記録媒体を中間ローラ１４まで搬送するためのローラで、給紙モータ４２の逆転により駆動される。
また、この時（給紙モータ４２逆転時）、プルアウトローラ１２と中間ローラ１４は駆動されるが、ピックアップローラ７と給紙ベルト９は駆動されていない。
【００１８】
記録媒体幅センサ１３は奥行き方向（幅方向）に複数個並べられ、プルアウトローラ１２により搬送された記録媒体の搬送方向に直行する幅方向のサイズを検知する。また、記録媒体の搬送方向の長さは記録媒体の先端後端を突き当てセンサ１１で読み取ることによりモータパルスから記録媒体の長さを検知する。
プルアウトローラ１２及び中間ローラ１４の駆動によりレジスト部Ｃからターン部Ｄに記録媒体が搬送される際には、レジスト部Ｃでの搬送速度を読み取り搬送部Ｅでの搬送速度よりも高速に設定して記録媒体を読み取り部へ送り込む処理時間の短縮が図られている。
記録媒体先端が読み取り入口センサ１５により検出されると、読み取り入口ローラ（上流側搬送手段）１６の上下ローラ対のニップに記録媒体先端が進入前に記録媒体搬送速度を読み取り搬送速度と同速にするために減速を開始する。
それと同時に、読み取り入口モータ４３を正転駆動して読み取り入口ローラ１６を駆動し、読み取り出口モータ４６を正転駆動して読み取り出口ローラ（下流側搬送手段）２１を駆動する。
【００１９】
記録媒体の先端をレジストセンサ１７にて検知すると、所定の搬送距離をかけて減速し、読み取り位置３７の手前で一時停止するとともに本体制御部４９にＩ／Ｆ４８を介してレジスト停止信号を送信する。
続いて本体制御部４９より読み取り開始信号を受信すると、レジスト停止していた記録媒体は、読み取り位置３７に記録媒体先端が到達するまでに、所定の搬送速度に立ち上がるように増速されて搬送される。
本体制御部４９に対して第１面の副走査方向有効画像領域を示すゲート信号は、読み取り入口モータ４３のパルスカウントにより検出された記録媒体先端が読み取り部に到達するタイミングで、第１読み取り部を記録媒体後端が抜けるまで送信される。
【００２０】
記録媒体読み取り中は、線速の関係は１％以内で、読み取り入口ローラ１６の線速≦読み取り出口ローラ２１の線速の関係となっている。片面記録媒体読み取りの場合には、読み取り搬送部Ｅを通過した記録媒体は反転排紙部Ｉを経て排紙部Ｊへ搬送される。この際、排紙センサ２２により記録媒体の先端を検知すると、排紙モータ４４を正転駆動して排紙ローラ２８を反時計方向に回転させる。
また、排紙センサ２２による記録媒体の先端検知からの排紙モータパルスカウントにより、記録媒体後端が排紙ローラ対２８のニップから抜ける直前に排紙モータ駆動速度を減速させて、排紙トレイ２９上に排出される記録媒体が飛び出さないように制御される。
【００２１】
両面記録媒体読み取りの場合には、排紙センサ２２にて記録媒体先端を検知してから読み取りモータ（読み取り出口モータ）４６のパルスカウントにより切り換え爪３０を図示しないソレノイドにより下降させ（矢印ｊ）、排紙ローラ２８から排出された記録媒体を掬い、上反転ローラ３１を図示しない上反転モータによって反時計回りに回転させる。
記録媒体後端が排紙センサ２２を抜けてから所定のパルスカウントにより排紙ローラ２８を抜けるタイミングで、切り換え爪３０を上昇し（矢印ｉ）、上反転ローラ３１を時計回りに回転させ、中間搬送部Ｇに搬送する。中間搬送ローラ３３は給紙モータ４２の逆転によって時計回りに駆動する。
この場合に、記録媒体先端がプルアウトローラ１２に達しても突き当て補正は行わず、プルアウトローラ１２、中間ローラ１４の駆動にて読み取り入口ローラ１６まで搬送を行う。この際には、処理時間の短縮のため、表面と同様に搬送速度を読み取り搬送部Ｅでの搬送速度よりも高速に設定して送り込んでいる。
【００２２】
裏面の場合、先端の整合（スキュー補正）は、読み取り入口ローラ１６のニップ部にて行うため、記録媒体先端が読み取り入口センサ１５によって検出されると、記録媒体搬送速度を落とし、記録媒体先端がニップ部に到達後所定のパルスカウント数搬送し、先端の整合（スキュー補正）を行う。
先端の整合（スキュー補正）を行った後、読み取り入口モータ４３を正転駆動して読み取り入口ローラ１６を駆動し、読み取り出口モータ４６の正転駆動によって読み取り出口ローラ２１を駆動する。
記録媒体の先端をレジストセンサ１７にて検知すると、所定の搬送距離をかけて減速し、読み取り位置３７の手前で一時停止するとともに本体制御部４９にＩ／Ｆ４８を介してレジスト停止信号を送信する。
続いて、本体制御部４９から読み取り開始信号を受信すると、レジスト停止していた記録媒体は読み取り位置に記録媒体先端が到達するまでに所定の搬送速度に立ち上がるように増速されて搬送される。
【００２３】
第１読み取り部を記録媒体後端が抜けるまで、読み取りモータ（読み取り入口モータ）４３のパルスカウントにより検出された記録媒体先端が読み取り部に到達するタイミングで、本体制御部４９に対して第１面の副走査方向有効画像領域を示すゲート信号が送信される。記録媒体読み取り中は、線速の関係は１％以内で読み取り入口ローラ１６線速≦読み取り出口ローラ２１線速の関係となっている。
再び、排紙センサ２２にて記録媒体先端を検知してから読み取りモータ（読み取り出口モータ）４６のパルスカウントにより切り換え爪３０を図示しないソレノイドにより下降させ（矢印ｊ）排紙ローラ２８から排出された記録媒体を掬い、上反転ローラ３１を図示しない上反転モータによって反時計回りに回転させる。
記録媒体後端が排紙センサ２２を抜けてから所定のパルスカウントにより排紙ローラ２８を抜けるタイミングで、切り換え爪３０を上昇し（矢印ｉ）、上反転ローラ３１を時計回りに回転させ、中間搬送部Ｇに搬送する。
【００２４】
本来ならば、表面、裏面とも読み取ったため記録媒体を排出してもよいのであるが、このまま排出すると排出された記録媒体の表裏が逆になってしまうため、再度記録媒体を搬送させる必要があるためである。
既に表裏面とも読み取り済みであり、排紙するだけであるため先端の整合（スキュー補正）は行わなくともよく、搬送速度も所定の読み取り時の速度より速く設定し生産性を向上させている。
この時に線速の関係は１％以上で、読み取り入口ローラ１６の線速＜読み取り出口ローラ２１の線速として読み取り出口ローラ２１線速は読み取り入口ローラ１６線速よりも１％以上速く設定されている。
【００２５】
読み取り時に１％以上の線速差を設けると、記録媒体後端が読み取り入口ローラを抜ける際のショックで異常画像となるが、読み取りを行っていない場合にはこのような設定が可能となる。
読み取り位置３７を挟んだ搬送手段１６、２１の線速差を大きくした場合により確実に記録媒体と透光板３８の接触力を低下することが可能となり、防汚処理効果の低下を防止することが可能となる。
この制御により、記録媒体先端が読み取り出口ローラ２１に達すると、上記速度関係により図に示すようなＵ字経路では記録媒体が透光板３８から離れ、接触力が低下あるいは無くなって透光板３８上の防汚被膜の保護効果が得られる。
【００２６】
図３は図１の読み取り搬送部のコンタクトガラスの近傍を拡大して示す概略図である。図４は図１の読み取り搬送部のコンタクトガラスの近傍を拡大して第２ガイド部材の動作を示す概略図である。図５は第１及び第２ガイド部材を示す斜視図である。図６は作動状態にある第２ガイド部材を示す斜視図である。
上述したように、透光板（コンタクトガラス）３８上の、読み取り入口ローラ１６と読み取り出口ローラ２１との間には、第１ガイド部材１９とこの第１ガイド部材１９に対して可動に取り付けられた第２ガイド部材２０が配置されている。
【００２７】
第２ガイド部材２０は、例えば、図５及び図６に示すように第１ガイド部材１９によりその被支持部２０ａを回動自在に支持されることにより上下方向へ回動可能であり、第２ガイド部材２０の上方への退避によって記録媒体はより透光板３８から離れることが可能となるため、さらに大きな保護効果を得られることとなる。
被読み取り記録媒体自動搬送装置と画像読み取り装置は独立したユニットであり、位置関係は固定でなく可変の構成となっているため、搬送品質に影響を及ぼす第１ガイド部材１９と透光板３８との隙間に関しては、第１ガイド部材１９を直接透光板３８に突き当てて位置精度を確保している。
【００２８】
第１ガイド部材１９に可動の第２ガイド部材２０を連結しているため部品寸法のバラツキの影響を受けにくく相対的な位置関係を精度良く出すことが可能となり、防汚被膜の保護効果を安定して得ることが可能となる。
さらに、読み取り位置３７近傍に位置する第１ガイド部材１９に連結する第２ガイド部材２０が回動する場合を考える。第２ガイド部材２０の回転支点の位置は、読み取り入口ローラ１６の線速＜読み取り出口ローラ２１の線速という関係にある場合に、記録媒体が読み取り出口ローラ２１によって搬送されている際に、記録媒体と最も強く接触する位置よりも読み取り入口ローラ１６寄りの位置に設定する。これにより回動する第２ガイド部材２０の動作が滑らかとなり、防汚被膜の保護効果が高くなる。
読み取り部と下流側の搬送手段（読み取り出口ローラ２１）との間に記録媒体からの圧力によって回動可動な構成を有する第２ガイド部材２０を設けている。第２ガイド部材２０を第１ガイド部材１９により直接支持することによって第２ガイド部材２０の相対的な位置精度が高くなり、防汚処理効果の低下、ばらつきを防止することが可能となる。
【００２９】
図７は可動のガイド部材を持たない場合の第１の構成例を説明する概略図である。図８は可動のガイド部材を持たない場合の第２の構成例を説明する概略図である。図９は可動のガイド部材を持たない場合の第３の構成例を説明する概略図である。
また、上述した可動の第２ガイド部材２０を持たない場合においても、第１ガイド部材１９の端部に回転するガイド部材（ガイドローラ）２０ａを設けることで搬送時の負荷の軽減となり搬送品質低下を防止できる（図７）。
【００３０】
搬送時の負荷をさらに軽減するために、第１ガイド部材１９の端部を支点とする片持ちレバー２０ｃに取り付けられる回転するガイド部材（ガイドローラ）２０ｂを設けることにより搬送品質低下を防止できる（図８）。
支点をガイド部最下流位置より上流側に設けることによって、ガイド部材が回動しやすくなりため、バラツキなく防汚処理効果の低下を防止することが可能となる。また、複数のガイド部材が同材質で構成されることにより、リサイクル時の分別を簡便にすることが可能となる。
【００３１】
搬送時の負荷に対応するために、回転するガイド部材（ガイドローラ）２０ｄを、片持ちレバー２０ｃを介して取り付けている第１ガイド部材１９に保持された弾性部材であるばね２０ｅを設ける構成にして搬送品質低下を防止することができる（図９）。
上下に回動するガイド部材（ガイドローラ）２０ｄは記録媒体からの押圧力により上方に移動した後、第１ガイド部材１９に保持された弾性部材２０ｅにより確実にホームポジションに戻ることが可能となる。
上述した回転するガイド部材（ガイドローラ）は記録媒体と接触して回転することによって、搬送抵抗が低下し、記録媒体へのダメージ低下、搬送品質低下の防止が可能となる。
上述したように、回転するガイド部材（ガイドローラ）も前出の可動の第２ガイド部材と同様に近接するガイド部材１９に支点を持ち回転可能な構成とした場合に、前出構成と同等以上の効果を得ることが可能となる。
【００３２】
読み取り搬送部Ｅを通過した記録媒体は反転排紙部Ｉを経て排紙部Jへ搬送される。この際、排紙センサ２４により記録媒体の先端を検知すると、排紙モータ４４を正転駆動して排紙ローラ２８を反時計方向に回転させる。
また、排紙センサ２２による記録媒体の先端検知からの排紙モータパルスカウントにより、記録媒体後端が排紙ローラ２８の上下ローラ対のニップ部から抜ける直前に排紙モータ４４の駆動速度を減速させて、排紙トレイ２９上に排出される記録媒体が飛び出さないように制御される。
【００３３】
本発明によれば、上述した機能を盛り込んだ画像読み取り装置を複写機、レーザービームプリンタ、ファクシミリ、インクジェットプリンタ等の画像形成装置に搭載することで、透光板３８上の異物による異常画像を低減する画像形成装置を提供することが可能となる。
なお、画像形成装置とは、例えば電子写真式の画像形成部（感光体、帯電部、露光部、現像部、転写部、定着部）を備えた画像形成装置や、インクジェット式の印字部を備えた画像形成装置を広く含む概念である。
【図面の簡単な説明】
【００３４】
【図１】本発明の画像読み取り装置の実施の形態の基本的な構成を説明する概略図である。
【図２】図１の画像読み取り装置の制御回路を示すブロック図である。
【図３】図１の読み取り搬送部のコンタクトガラスの近傍を拡大して示す概略図である。
【図４】図１の読み取り搬送部のコンタクトガラスの近傍を拡大して第２ガイド部材の動作を示す概略図である。
【図５】第１及び第２ガイド部材を示す斜視図である。
【図６】作動状態にある第２ガイド部材を示す斜視図である。
【図７】可動のガイド部材を持たない場合の第１の構成例を説明する概略図である。
【図８】可動のガイド部材を持たない場合の第２の構成例を説明する概略図である。
【図９】可動のガイド部材を持たない場合の第３の構成例を説明する概略図である。
【符号の説明】
【００３５】
Ｂ  分離部（分離給送部）、Ｅ  読み取り手段（読み取り搬送部）、７  ピックアップローラ、１２  プルアウトローラ、１４  搬送手段（中間ローラ）、１６  読み取り部上流側搬送手段（読み取り入口ローラ）、１９  ガイド手段（第１ガイド部材）、２０  ガイド手段（第２ガイド部材）、２０ａ  回転するガイド部材（ガイドローラ）、２０ｂ  回転するガイド部材（ガイドローラ）、２０ｃ  片持ちレバー、２０ｄ  回転するガイド部材（ガイドローラ）、２０ｅ  弾性部材、２１  読み取り部下流側搬送手段（読み取り出口ローラ）、３６  画像形成装置、３７  読み取り部（読み取り位置）、３８  透光板（コンタクトガラス）、４１  ピックアップモータ、４３  別々の駆動源（読み取り入口モータ）、４６  別々の駆動源（読み取り出口モータ）
【図１】
2007186281.tif 000003
【図２】
2007186281.tif 000004
【図３】
2007186281.tif 000005
【図４】
2007186281.tif 000006
【図５】
2007186281.tif 000007
【図６】
2007186281.tif 000008
【図７】
2007186281.tif 000009
【図８】
2007186281.tif 000010
【図９】
2007186281.tif 000011